(57)【特許請求の範囲】
【請求項１】
粒径が５ｍｍ以下のピートモス１kgに対して、ベントナイトを１００〜４００ｇと、苦土石灰を１０〜３０ｇと、粉状の界面活性剤を１〜１０ｇと、肥料として窒素を０．７〜４．２ｇ及び燐を０．８〜４．８ｇ及びカリウムを０．６〜３．６ｇを混合し、含水率が１５％になるまで乾燥した後に、粒径が１ｍｍ以下まで粉砕した粉状の混合物を圧縮成形したことを特徴とする培地。
【請求項２】
界面活性剤がラウリル硫酸ナトリウムであり、粒径が１ｍｍ以下まで粉砕した粉状の混合物をプレス機で１５０ｋｇ／ｃｍ2  の圧力で圧縮したことを特徴とする請求項１記載の培地。
【請求項３】
底部に円錐台状のテーパ部２ａを形成した下型２の円筒状穴内に粉状の混合物を詰めて上型３の円筒状突部が上方から下降して圧縮成形することにより、底面にテーパ部１ａを有する円筒形状に圧縮成形したことを特徴とする請求項１又は２記載の培地。
【発明の詳細な説明】
【０００１】
【発明の属する技術分野】
この発明は、野菜や水稲や花卉等の播種・育苗の際に、多数の育苗ポットを連設した育苗トレイや箱状の育苗容器に装填される培地に関する。
【０００２】
【従来技術と発明が解決しようとする課題】
この種の従来例としては、育苗トレイにピートモス等を圧縮成形した培地を装填した後に灌水して復元し、野菜や水稲や花卉等を播種・育苗するものがある。
併し乍ら、ピートモスは乾燥状態では、撥水性があり灌水しても吸水性が悪くて、復元するのに非常に長い時間を要し、また、復元能力も低くて、適切な形状の復元が行なえず、非常に作業性が悪いものであった。
【０００３】
そこで、ピートモスを界面活性剤とベントナイトの水溶液に漬けて混合し、ピートモスの表面を処理する方法があるが、前記のようにピートモスは撥水性があるので、混合中にピートモスが団子状の塊となり均一に混合できず、適切な表面処理が行なえないと謂う問題があった。このように適切な表面処理が行なえないと、ピートモスを圧縮成形した培地は適正に水を吸収して復元することができず、適切な野菜や水稲や花卉等の播種・育苗が行なえない。
【０００４】
【課題を解決するための手段】
この発明は、従来の課題を解決するために、請求項１記載の発明は、粒径が５ｍｍ以下のピートモス１kgに対して、ベントナイトを１００〜４００ｇと、苦土石灰を１０〜３０ｇと、粉状の界面活性剤を１〜１０ｇと、肥料として窒素を０．７〜４．２ｇ及び燐を０．８〜４．８ｇ及びカリウムを０．６〜３．６ｇを混合し、含水率が１５％になるまで乾燥した後に、粒径が１ｍｍ以下まで粉砕した粉状の混合物を圧縮成形した培地としたものであり、請求項２記載の発明は、界面活性剤がラウリル硫酸ナトリウムであり、粒径が１ｍｍ以下まで粉砕した粉状の混合物をプレス機で１５０ｋｇ／ｃｍ2  の圧力で圧縮した請求項１記載の培地としたものであり、請求項３記載の発明は、底部に円錐台状のテーパ部２ａを形成した下型２の円筒状穴内に粉状の混合物を詰めて上型３の円筒状突部が上方から下降して圧縮成形することにより、底面にテーパ部１ａを有する円筒形状に圧縮成形した請求項１又は２記載の培地としたものである。
【０００５】
【発明の作用効果】
請求項１記載の発明は、粒径が５ｍｍ以下のピートモス１kgに対して、ベントナイトを１００〜４００ｇと、苦土石灰を１０〜３０ｇと、粉状の界面活性剤を１〜１０ｇと、肥料として窒素を０．７〜４．２ｇ及び燐を０．８〜４．８ｇ及びカリウムを０．６〜３．６ｇを混合し、含水率が１５％になるまで乾燥した後に、粒径が１ｍｍ以下まで粉砕した粉状の混合物を圧縮成形した培地としたものであるから、粒径が５ｍｍ以下のピートモスを用いることにより、後工程の混合時に混合むらが発生して、出来上がった培地に水を加えて復元する際の復元速度が遅く、復元形状も安定しないと謂うような事態を回避できる。そして、ピートモスとベントナイトと苦土石灰と粉状の界面活性剤と肥料として窒素及び燐及びカリウムは容易に均一に混合されて、圧縮成形した培地は、適正に水を吸収して復元し、適切な野菜や水稲や花卉等の播種・育苗が行なえる。また、ピートモスの表面にはベントナイトの微粒子が付着した状態となり、ベントナイトがピートモスの撥水性を防止すると共に、バインダ−としての機能も果たすので、圧縮成形後の形状が適正に維持され、播種作業時の取扱いが非常に良い。一方、圧縮成形前に混合物を乾燥する時、混合時に水を加えていないから、乾燥時間は短くて良く、効率的である。
そして、ピートモス１kgに対して、ベントナイトを１００〜４００ｇ混合するので、出来上がった培地の強度に使用上の問題はなく、苦土石灰を１０〜３０ｇ混合してピートモスのＰＨ調整が適切に行なえる。
また、混合物を粒径が１ｍｍ以下の細かな粉状まで粉砕してから圧縮成形するので、プレス機で成形する際に、混合物を型に入れるのが容易になると共に、圧縮成形して得た培地に水を加えて復元させる際に、復元速度が速くて復元形状も非常に安定する。然も、復元後の培地の強度も強くて育苗及び育苗後の苗の取扱いが容易となる。
【０００６】
請求項２記載の発明は、界面活性剤がラウリル硫酸ナトリウムであり、粒径が１ｍｍ以下まで粉砕した粉状の混合物をプレス機で１５０ｋｇ／ｃｍ2  の圧力で圧縮したことを特徴とする請求項１記載の培地としたものであるから、請求項１記載の発明の作用効果に加えて、含水率１５％の粒径が１ｍｍ以下まで粉砕した粉状の混合物を１５０ｋｇ／ｃｍ2  の圧力で圧縮すると良好に圧縮成形できる。
【０００７】
請求項３記載の発明は、底部に円錐台状のテーパ部２ａを形成した下型２の円筒状穴内に粉状の混合物を詰めて上型３の円筒状突部が上方から下降して圧縮成形することにより、底面にテーパ部１ａを有する円筒形状に圧縮成形した請求項１又は２記載の培地としたものであるから、請求項１又は２記載の発明の作用効果に加えて、育苗ポット内側面の底面部を培地のテーパ部１ａが丁度嵌まる円錐台の形状にした育苗トレイを用いれば、培地を圧縮された方向が上下方向となる姿勢で且つテーパ部１ａが下になる方向で育苗ポット内に入れると、育苗ポットの底面部の円錐台の形状に培地のテーパ部１ａが丁度嵌まり、培地は育苗ポットの所定の位置に適正な姿勢で収まる。従って、育苗ポット内に入れられた培地に水を与えると、培地は育苗ポット内で適正な姿勢で膨張し、事後の播種作業が適正に行なえる。
また、培地をその圧縮された方向が上下方向となる姿勢で育苗ポット内に入れ、培地に水を含ませて培地を育苗ポット内で膨張させて充満させ、その後、該膨張後の培地に播種して育苗することにより、育苗ポット内で育苗された苗の培地は上下方向の剪断に対して強いことになるから、苗の茎を持って上方に引っ張って抜くことができ、培地が崩れにくく、苗の根があまり伸びていないときでも、苗を育苗ポットから取り出しやすくなる。従って、移植機にて苗の植付けができる適応性の高い苗を育成することができる。
【０００８】
【０００９】
【００１０】
【発明の実施の形態】
この発明の実施の一形態であるレタスを播種育苗する場合について、以下に詳述する。
図１に示すものは、圧縮成形した培地（圧縮成形培地）１の一実施例で、タブレット（錠剤状又は低い円柱状）の形状に成形したものであり、底面にテーパ部１ａが形成されている。この圧縮成形培地１の材料となる植物繊維を含む材料としては、ピートモスやヤシ類の果実繊維（ヤシの実の果肉部の繊維を圧搾裁断したもの）、おが屑、樹皮（バーク）、バーク堆肥などを用いることができる。特に、ミズゴケ類が堆積してできたピートモスが最も好ましい。なお、ピートモスとヤシ類の果実繊維等を混合した材料を用いることもできる。
【００１１】
なお、ピートモスは、含水率約３０％以下に乾燥すると撥水性が顕著となる。そのため、ピートモスを圧縮成形する材料に使用する場合は、それが乾燥していると、圧縮成形後使用時に水で膨張させるとき、その水が吸収されにくくなり、取扱いが不便となる。そこで、圧縮成形前にピートモスに、界面活性剤（撥水防止剤）とベントナイト或はモンモリロナイトとを混合し、ピートモスの繊維表面を界面活性剤とベントナイト或はモンモリロナイトにて処理（コーティング）し、それを乾燥して圧縮成形すれば、圧縮成形されたピートモスが乾燥していても吸水しやすいものとなり、上記問題は解消される。
【００１２】
また、ピートモスは、一般にｐＨ３．５〜５．５と、ｐＨが低いため、消石灰や生石灰、苦土石灰、炭酸カルシウムなどでｐＨ調節を行う。なお、取扱易さと効果の面から苦土石灰が好ましい。ところで、上記ベントナイト或はモンモリロナイトは、ピートモスを圧縮成形する時のバインダーとして作用する粘結剤にもなり、成形時の粘結効果を高めるものとなる。ほかのバインダーとしてアルギン酸ナトリウム等を使用することもできる。
【００１３】
また、圧縮成形した培地１が水を含んで膨張するときの膨張倍率を大きくするため、前記ピートモス等の植物繊維を含む材料に、市販の高吸水性ポリマー等を混入させて用いることもできる。
【００１４】
ここで、上記の圧縮成形培地の一実施例として、植物繊維を含む材料としてピートモスを用いて製造する例を詳細に説明する。
【００１５】
先ず、市販のピートモス（含水率は通常４０〜５０％で、平均的には４５％のものが多い）の塊を解砕（解いて砕く）し、３ｍｍメッシュ（縦横が３ｍｍの網目）で篩いをかけて、粒径が３ｍｍ以下のものを精選する。尚、５ｍｍメッシュ（縦横が５ｍｍの網目）で篩いをかけて、粒径が５ｍｍ以下のものを精選しても後工程の混合時に混合むらが発生する恐れはあまりなく出来上がった圧縮成形培地の使用上の問題はないので、精選は５ｍｍメッシュ以下であれば良い。併し乍ら、粒径が５ｍｍを超えるものは、後工程の混合時に混合むらが発生し、出来上がった圧縮成形培地に水を加えて復元する際の復元性能が悪い（復元速度が遅く、復元形状も安定しない）。
【００１６】
そして、この精選したピートモス１kgに対して、ベントナイト１００〜４００ｇ（２００ｇが最適で、２００ｇ以下であると若干出来上がった圧縮成形培地の強度が弱くなるが、使用上の問題はさほどない。また、２００ｇ以上用いても出来上がった圧縮成形培地の性能は２００ｇの場合に比して大差ない）と、苦土石灰（Ｍｇ，Ｃａ）１０〜３０ｇ（ピートモスのＰＨ調整の為に入れるが、２０ｇが最適である）と、界面活性剤である粉状（粉末）のラウリル硫酸ナトリウム１〜１０ｇと肥料として窒素０．７〜４．２ｇ・燐０．８〜４．８ｇ・カリウム０．６〜３．６ｇを混ぜたものと、を１０分間混合する。すると、ピートモスの撥水性が界面活性剤でなくなり、ピートモスとベントナイトと苦土石灰と肥料とが混在した含水率が４０〜５０％（平均的には５５％のものが多い）の粉状の混合物が得られる。そして、ピートモスの表面にはベントナイトの微粒子が付着した状態となる。
【００１７】
この混合物を含水率が１５％になるまで乾燥し、その後、圧延ロール等で１ｍｍメッシュの細かな粉（縦横が１ｍｍの網目の篩いを通る粉）状まで粉砕して、粉状の培地を得る。
【００１８】
そして、この１ｍｍメッシュまで粉砕したものを圧縮成形する。圧縮成形には、プレス機を用い、底部に円錐台状のテーパ部２ａを形成した下型２の円筒状穴内に前記粉状の培地を詰めて上型３の円筒状突部が上方から下降して圧縮成形して（図２参照）、圧縮成形培地１を得る。
【００１９】
このときの圧縮する圧力は、含水率１５％のもので１５０ｋｇ／ｃｍ2  の圧力で圧縮すると良好に圧縮成形できる。
【００２０】
そして、混合物を１ｍｍメッシュの細かな粉状まで粉砕してから圧縮成形するのは、プレス機で成形する際に、混合物を型に入れるのが容易になると共に、圧縮成形して得た圧縮成形培地１に水を加えて復元させる際に、復元速度が速くて復元形状も非常に安定する。然も、復元後の培地の強度も強くて育苗及び育苗後の苗の取扱いが容易となる。尚、テストで混合物を２ｍｍメッシュ（粒径２ｍｍ）の状態で圧縮成形してみたが、成形後の水を加えて復元させる際の復元速度及び復元形状の安定性は、共に劣るものであった。そして、復元後の培地の強度も粒が大きいために弱くて壊れ易いものであった。
【００２１】
また、圧縮成形後の具体的な寸法を示すと、圧縮成形培地１の大きさは、直径Ｄ１＝１５ｍｍ、高さＨ１＝１５ｍｍの底面にテーパ部１ａを有する円筒形状に圧縮成形される。
【００２２】
次に、図３〜図７に示す育苗トレイ４は、発砲スチロールを材料として成形したもので、図６及び図７に示されるような平面視が円形で断面形状がコップ状の育苗ポット５…を多数設けたものである。そして、各育苗ポット５には、内側面５ｂから底面５ａに到るＬ字状の溝９・９・９・９が４箇所形成されており、その底部には育苗時の水抜け孔であり、育苗後に苗を押し出す為に苗押出し棒７や指等を差し込むことのできる孔６…が開けられている。また、各育苗ポット５の内側面５ｂの最下部５ｃ（底面５ａに連接する部分）は、前記圧縮成形培地１のテーパ部１ａが丁度嵌まる円錐台の形状にしている。尚、各溝９・９・９・９は、育苗ポット５の上部からこの孔６まで連通しており、苗を育苗するときに、空気が自由に育苗ポット５の上部から各溝９・９・９・９及び孔６を通って下部まで流れるようになっている（勿論、逆に、空気が自由に育苗ポット５の下部から孔６及び各溝９・９・９・９を通って上部まで流れるようになっている）。また、灌水時には、育苗ポット５内の培地に上面及び各溝９・９・９・９から側面に水が浸透するので灌水も容易であり、また、余分な水は各溝９・９・９・９及び孔６から排水されるので水が過分に溜って根腐れを起こすことの防止にもなる。
【００２３】
尚、育苗ポット５の内容部の大きさは、具体的な寸法を示すと、底部直径Ｄ３＝１８ｍｍ、上端開口部の口径Ｄ２＝２３ｍｍ、深さＨ２＝３７ｍｍに形成されている。
【００２４】
以上のようにして成形した圧縮成形培地１と育苗容器４とを用いて播種育苗する過程を図に基づいて詳述すると、育苗容器４の各育苗ポット５…の各々に圧縮された方向が上下方向となる姿勢で且つテーパ部１ａが下になる方向に圧縮成形培地１を入れる（図８）。すると、各育苗ポット５の円錐台の形状である最下部５ｃに圧縮成形培地１のテーパ部１ａが丁度嵌まり、確実に圧縮成形培地１は各育苗ポット５の所定の位置に適正な姿勢で収まる。そして、その各育苗ポット５…内に入れられた培地１に上から灌水し或は底面側からしみ込ませて水を含ませる。すると、培地１は各育苗ポット５…内で膨張し、膨張した培地１’は育苗ポット５…内に充満する（図９）。この圧縮成形培地１は、水を含んで膨張すると、育苗ポット５の内側面５ｂとの間に少し空隙が残り、上端開口部からＨ３＝１〜２ｍｍ突出するような大きさの培地１’になるように圧縮成形されている。
【００２５】
そして、このように充填された培地１’の上部から周知の播種穴形成ロール１０を転動させて圧を掛けると（図１０）、その播種穴形成突部１１が培地１’内に嵌まり込んで深さＬ＝５ｍｍの播種穴１２を形成すると共に、円筒外面１３にて培地１’の上部が押圧されて前記培地１’の育苗ポット５上端開口部から１〜２ｍｍ突出した分だけ培地１’は圧縮されて、培地１’は育苗ポット５内に充満される。このとき、圧縮成形された培地１の膨張に多少の誤差があって育苗ポット５の内側面５ｂとの間に多少空隙が生じていても、育苗ポット５の適正な培地高さＨ２よりもＨ３だけ高く膨張させた後に適正な培地高さＨ２まで押圧するから、育苗ポット５に適切に培地を充填することができる。
【００２６】
その後、播種穴１２に播種をして播種穴１２部をバーミキュライト若しくは土にて覆土１４して育苗が行われる（図１１）。その時、上記のように各育苗ポット５に適切な培地の充填がなされるのであるが、仮に、培地１の角が欠けていて、膨張後に押圧しても適切な培地の充填が行なわれなかった場合にも、バーミキュライトや土等の覆土１４で育苗ポット５内の培地を適切な量に補正できて、個々の苗が不均一に成長したり苗の育苗に支障を来したりすることなく、良好な育苗が行なえて、良質の苗を得ることができる。尚、覆土１４にはバーミキュライトを用いると、比重が軽いので、種子が出芽し易く出芽率が向上し、また、保水性が良いので育苗も容易である。そして、適度に成長した苗は栽培圃場に移植される。
【００２７】
そして、上記のようにして播種作業を終えた育苗トレイ４を各育苗ポット５底部の各孔６…を塞がないような格子状の台に並べて、溝９と孔６を空気が自由に流通できる状態で育苗が行われる。そして、適度に成長した苗は栽培圃場に移植されるが、このとき、育苗ポット５…の底部の孔６…に苗押出し棒７…を差し込むか指で押し上げることにより育苗ポット５…内に収容された苗を押し出すと容易に苗を育苗トレイ４の育苗ポット５…から取り出すことができる（図１２）。尚、覆土２６にはバーミキュライトを用いると、比重が軽いので種子が出芽し易く出芽率が向上し、また、保水性が良いので育苗も容易である。
【００２８】
そして、この育苗トレイ４の各育苗ポット５…には溝９…が設けられており、培地１’が膨張時に溝９…内に入り込んで溝を埋めてしまわないので、溝９…内には空間が形成されている。従って、育苗時に、苗の根が伸長して培地内から溝９…内に出て伸びようとしたとき、エアープルーニング効果により、そこで根の伸長が止まる。よって、根が培地外周面に沿って過密に巻いた状態になるのが防止されることと併せて、溝９…部で根の伸長が止まる分、培地内で側根の成育が旺盛となるので、圃場へ移植したときの苗の活着が良好となる。（尚、根が伸長し過ぎて培地外周面に沿って過密に巻いた状態になると、移植後、圃場に活着しようとする新しい根が培地外周面に過密に巻いた根に阻止されて、培地の外の土壌に根が伸長しにくくなり活着しにくくなる問題がある。）
【００２９】
また、上記のような育苗上の効果を有する育苗ポット５…を形成した育苗トレイ４を用いた育苗を行うとき、圧縮成形培地１は、育苗ポット５に合わせた円柱形状であるから、水を含んで膨張した時に溝９…内を培地が塞ぐことがない。特に、前記のように、圧縮成形培地１を、その圧縮された方向が上下方向となる姿勢で各育苗ポット５内に入れ、そのように入れた圧縮成形培地１に水を含ませることで圧縮成形培地１を各育苗ポット５内で膨張させて充満させ、育苗ポット５内に培地を充填する方法をとると、その圧縮成形培地１は、水を含むと水平方向には大きく膨張せず上下方向に大きく膨張するから、溝９…内を埋めるように培地が入り込むことがなく溝９…内に空間が形成される状態に培地を育苗ポット５内に充填することが容易に行なえる。従って、この育苗ポット５…の溝９…によるエアープルーニング効果を充分に奏する状態での播種、育苗が容易に行なえるものとなる。
【００３０】
尚、植物繊維を含む材料を圧縮成形した培地１には、圧縮成形後、水を含ませて膨張させると、圧縮成形時の圧縮方向とは略々反対方向に向かう膨張が大きいという特性がある。例えば、図１に示すタブレットの形状の圧縮成形培地１を、ピートモスを用いて、上下方向から圧縮して成形したところ、圧縮成形時の大きさが直径１５ｍｍ×高さ１５ｍｍの大きさのものが、水を含んで膨張すると、圧縮方向の反対方向の膨張が、高さ１５ｍｍから高さ３８〜３９ｍｍとなって約２．５倍の膨張となり、圧縮方向に交差する方向の膨張が、直径１５ｍｍから直径１８〜１９ｍｍとなって約１．２倍の膨張となった。
【００３１】
一方、育苗トレイ４は、発砲スチロールを材料として成形され各育苗ポット５の内側面５ｂと底面５ａとで培地１’を覆った状態になっているので、断熱性が良くて根部の温度が必要以上に上がることが防止され、夏場の熱い時期に苗を育苗しても、苗がひょろ長く伸びてしまう徒長を防止でき、健全な苗の育成が行なえると共に、育苗トレイ４の各育苗ポット５の各苗を均一に成育させることができる。
【００３２】
そして、圧縮成形培地１は、前記のように、水を含むと圧縮方向とは略々反対方向に大きく膨張するが、その膨張後の培地１’は、膨張方向（上下方向）の剪断に対しては強く、その膨張方向と交差する方向（左右方向）の剪断に対しては弱い特性がある。
【００３３】
従来、エアープルーニング効果により根巻きが起こっていない苗の茎を持って上方に引っ張って抜こうとすると、根が培地に絡んでいないため苗だけが引き抜かれてしまって培地ごと苗を引き抜くことはできにくく、また、育苗ポットの底部の孔に棒を押し込んで培地ごと苗を取り出そうとしても、根が培地に絡んでいないため底部に押し込んだ棒が土を崩してしまい培地ごと苗を押し上げることはできにくい問題がある。
【００３４】
そこで、圧縮成形培地１…をその圧縮された方向が上下方向となる姿勢で各育苗ポット５…内に入れ、該圧縮成形培地１…に水を含ませて圧縮成形培地１…を各育苗ポット５…内で膨張させて充満させ、その後、該膨張後の培地１’…に播種して育苗する育苗方法をとることにより、各育苗ポット５…内で育苗された苗の培地は上下方向の剪断に対して強いことになるから、苗の茎を持って上方に引っ張って抜くことができ、また、育苗ポット５…の底部の孔６…に苗押出し棒７…を差し込んで育苗ポット５…内に収容された苗を押し出すときに培地が崩れにくく、苗の根があまり伸びていないときでも、従来に比べて苗を育苗ポット５…から取り出しやすくなる。従って、移植機にて苗の植付けができる適応性の高い苗（各育苗ポット５…内から上方に引き抜く装置や下方から押し出す装置にて抜きやすい苗）を育成することができる。
【００３５】
尚、育苗ポット５が平面視円形なので、上記圧縮成形培地１の平面視形状も円形のものを用いるが、育苗ポットが平面視四角形であれば、それに入れる圧縮成形培地の平面視形状も四角形のものを用いると、育苗ポット内に入れた圧縮成形培地に水を含ませて膨張させたとき、適確に育苗ポット内に培地が充満する。よって、圧縮成形培地の平面視形状は、それを入れる育苗トレイの育苗ポットの平面視形状に合わせたものとすると、良好に育苗ポット内に培地を充満させられる。
【００３６】
更に、育苗トレイの材質は、発砲スチロールに限定されるものではなく、硬質の合成樹脂や自由に湾曲させれるような軟質の合成樹脂等の如何なる材質で成型しても良い。
【００３７】
また、上記の例においては、育苗トレイ４に多数配列した育苗ポット５の例を示したが、植木鉢やビニールポット（鉢）等の単体の育苗容器に本願発明を用いても良いことは、謂うまでもない。
【００３８】
また、上記の実施例においては、ピートモスに界面活性剤と粘土質材であるベントナイトとを共に用いる例を示したが、界面活性剤のみを用いて培地を製造しても良い。
【００３９】
最後に、圧縮成形前にバインダーとしてポリビニルアルコール又はポリアクリル酸塩又は水ガラス（ケイ酸ナトリウム）等を混入すれば、復元後もブロック強度が保持できて、培地１が崩れにくく、更に苗の取扱いが容易となる。
【図面の簡単な説明】
【図１】圧縮成形培地１の一例を示す斜視図である。
【図２】圧縮成形培地１の圧縮成形の一例を示す側面図である。
【図３】育苗トレイ４の一例を示す斜視図である。
【図４】育苗トレイ４の平面図である。
【図５】育苗トレイ４の底面図である。
【図６】育苗トレイ４の育苗ポット５の平面図である。
【図７】図４のＳ１−Ｓ１断面図である。
【図８】圧縮成形培地１を育苗ポット５へ装填した状態を示す断面側面図である。
【図９】育苗ポット５へ装填した圧縮成形培地１が水を含んで膨張が終了した状態を示す断面側面図である。
【図１０】播種穴形成ロール４７による作用説明側面図である。
【図１１】播種穴５０に播種して覆土６５した状態を示す断面側面図である。
【図１２】成育した苗を取り出す作用を示す断面側面図である。
【符号の説明】
１  圧縮成形した培地
【図１】
0004608720.tif 000002
【図２】
0004608720.tif 000003
【図３】
0004608720.tif 000004
【図４】
0004608720.tif 000005
【図５】
0004608720.tif 000006
【図６】
0004608720.tif 000007
【図７】
0004608720.tif 000008
【図８】
0004608720.tif 000009
【図９】
0004608720.tif 000010
【図１０】
0004608720.tif 000011
【図１１】
0004608720.tif 000012
【図１２】
0004608720.tif 000013